(57)【要約】【課題】従来の４辺形状基板による版体構法の持つ欠点を克服し、高い組立て精度と大きな耐力が実現できる版体構造が得られ、かつ版体の組立てが容易な板状構造材及びその組立て版体を得ること。【解決手段】本板状構造材Ｈは一定厚の直角２等辺３角形状をなすとともに、各辺の側面には辺に沿って凹溝が縦設されてなる３角形基板１と、相対接する基板相互の凹溝４に密接状に嵌合されるくさび棒２と、の２種の構成素材からなる。これらの構成素材１，２を組み立てて大型の版体を得る。基板１相互の交会部はトラスを構成し、締付け作用を発揮する。【選択図】  図１
2004256996.tif 000002
【特許請求の範囲】
【請求項１】
一定厚の直角２等辺３角形状をなすとともに、該各辺の側面には辺に沿って、所定の幅形状を有しかつ所定深さを保持する凹溝が縦設されてなる３角形基板と、
前記相対接する基板相互の凹溝に合致し、かつ該凹溝に沿って密接状に嵌合されるくさび棒と、
の２種の構成素材からなることを特徴とする板状構造材。
【請求項２】
請求項１において、凹溝の幅形状は等幅もしくは底部より開口に向けて拡幅される板状構造材。
【請求項３】
請求項１又は２のいずれかにおいて、３角形基板は辺部を残して中空とされる板状構造材。
【請求項４】
一定厚の同形の直角２等辺３角形状をなすとともに、該各辺の側面には辺に沿って、所定の幅形状を有しかつ所定深さを保持する凹溝が縦設されてなる複数の３角形基板を、該３角形基板の対応する各辺の側面を相接して配し、相接する３角形基板の凹溝に密接状にくさび棒を嵌合して組み立ててなる、
ことを特徴とする組合せ版体。
【請求項５】
請求項４において、３角形基板とくさび棒とは接着剤により固着される組合せ版体。
【請求項６】
一定厚にして直角部と底角部とを有する直角２等辺３角形状をなすとともに、該各辺の側面には辺に沿って、所定の幅形状を有しかつ所定深さを保持する凹溝が縦設されてなる複数の３角形基板と、前記相対接する基板相互の凹溝に密接状に嵌合されるくさび棒と、の２種の構成素材の組合せよりなる版体であって、
前記同形の３角形基板の対応する各辺の側面が位相を揃えて相接して配され、
前記相対接する３角形基板相互の凹溝には前記くさび棒が密接状に嵌合され、
該３角形基板の底角部の集まる交会部には全ての底角部を集め、
該３角形基板の直角部の集まる交会部には全ての直角部を集めてなる、
ことを特徴とする組合せ版体。
【請求項７】
請求項６において、３角形基板の斜辺相互間には１つの交会部間のくさび棒が配され、該３角形基板の短辺相互間には１つの交会部間のくさび棒及び２つの交会部間にわたるくさび棒が配されてなる組合せ版体。
【請求項８】
一定厚にして直角部と底角部とを有する直角２等辺３角形状をなすとともに、該各辺の側面には辺に沿って、所定の幅形状を有しかつ所定深さを保持する凹溝が縦設されてなる複数の３角形基板と、前記相対接する基板相互の凹溝に密接状に嵌合されるくさび棒と、の２種の構成素材の組合せよりなる版体の施工方法であって、
前記同形の３角形基板の対応する各辺の側面を位相を揃えて相接して配し、
該３角形基板の底角部の集まる交会部には全ての底角部を集め、
該３角形基板の直角部の集まる交会部には全ての直角部を集め、
前記相対接する３角形基板相互の凹溝には前記くさび棒を密接状に嵌合する、ことを特徴とする組合せ版体の施工方法。
【請求項９】
請求項８において、３角形基板の斜辺相互間には１つの交会部間のくさび棒を配し、該３角形基板の短辺相互間には１つの交会部間のくさび棒及び２つの交会部間にわたるくさび棒を配する組合せ版体の施工方法。
【請求項１０】
一定厚の同形の直角２等辺３角形状をなすとともに、該各辺の側面には辺に沿って、所定の幅形状を有しかつ所定深さを保持する凹溝が縦設されてなる複数の３角形基板を該３角形基板の各辺の側面を相接して配し、相接する３角形基板の凹溝に密接状にくさび棒を嵌合して形成される組合せ版体をもって構築される家具又は建具。
【発明の詳細な説明】
【０００１】
【発明の属する技術分野】
この発明は、板状構造材及び該板状構造材を構成する構成素材相互を組み合わせてなる組合せ版体並びにそれらの構成素材を使用してなされる組合せ版体の組立て施工方法に関し、更に詳しくは、３角形状をなす基板と該基板相互を繋ぐ連結材との２種の構成素材よりなる板状構造材及びその組合せ版体並びに該組合せ版体の組立て施工方法に関する。
本発明は、壁、床、天井等の構造用版体を主たる対象とするが、他の用途を除外するものではない。
【０００２】
【従来の技術】
このような板状構造材として、基板を一定厚さの４辺形状になし、該４辺形状基板の側辺に凹溝と凸条とを形成し、相接する４辺形状基板の凹溝と凸条とを係合させて大型の板状体（これを版体又はパネルという）とする構法は普通に採られている。
しかしながら、この４辺形状基板を接合して得られる版体構法によれば、当該版体の版面方向に働く版面力は、４辺形状基板の辺部に沿う水平方向と垂直方向との２方向分力のみとなり、力が集結されず、十分な組付け力を得ることができず、版面に直角に働く力に対しても大きな抵抗力（抵抗モーメント）を期待できない。
更に、角部が集まる交会部（節点ともいう）での作用力の収斂性・集中性が得られ難く、すなわち「ずれ」が生じやすく、かつ、そのため当該交会部位から緩みが生じ、全体的な破損を惹起する原因となる。
なお又、４辺形状基板の組付け操作に付き、既に組み付けられた版体の開き空間へ次に取付ける４辺形状基板を落とし込んでゆくものであるが、このとき当該４辺形状基板の水平及び垂直性の確保が必要であり、当該組付け作業の施工効率の悪化要因ともなっている。
【０００３】
本発明者は、この４辺形状基板による版体の問題点を解明する過程で、従来構法ではその交会部に締り力が生じていないことが「ずれ」の原因であるとの知見を得るに至ったものである。
しかして、その締り力を得るべく、３角骨組によるトラス構法の適用により、基板を３角形状となし、かつ該基板間にくさび棒を介装することにより、その実現を図りうるとの着想に至ったものである。
【０００４】
【発明が解決しようとする課題】
本発明は上記着想のもとに、従来の４辺形状基板による版体構法の持つ欠点を克服すべくなされたものであり、高い組立て精度と大きな耐力が実現できる版体構造が得られ、かつ版体の組立てが容易な新規な構成の板状構造材を得ることを目的とする。
本発明は更に、この板状構造材の組み合わせをもって構成される組合せ版体並びにその組合せ版体の組立て施工方法を得ることも他の目的とする。
【０００５】
【課題を解決するための手段】
本発明は上記目的を達成するため、以下の構成を採る。
本発明の第１は板状構造材に係り、一定厚の直角２等辺３角形状をなすとともに、該各辺の側面には辺に沿って、所定の幅形状を有しかつ所定深さを保持する凹溝が縦設されてなる３角形基板と、前記相対接する基板相互の凹溝に合致し、かつ該凹溝に沿って密接状に嵌合されるくさび棒と、の２種の構成素材からなることを特徴とする。
本第１発明において、くさび棒は、（ａ）  ３角形基板の各辺部に対応する長さのもの（これを単位くさび棒という）、（ｂ）  ３角形基板の各辺部の長さを超えるもの（これを長くさび棒という。通常は２辺部長を採る。）が用意される。また、該くさび棒の先端は直角２等辺状の角部のものと、平坦状のものとの２態様をもつ。
上記構成において、
▲１▼凹溝の幅形状は等幅もしくは底部より開口に向けて拡幅される形状を採ること、換言すれば、底部より開口に向けて非縮幅の形状を採ること、
▲２▼３角形基板は中実、及び辺部を残して中空とされること、
は適宜に選択実施される態様である。
【０００６】
（作用）
所定数の同形の３角形基板とくさび棒とを用意し、３角形基板の対応する辺部を対接させ、これらの凹溝内にくさび棒を嵌入する。
これにより、適宜の形状の版体いわゆる組合せ版体を形成する。該形状は四辺形を通常とするが、他の形状を除外するものではない。
単位組合せ版体として、
▲１▼２つの３角形基板の斜辺相互を対接する態様、
▲２▼４つの３角形基板の短辺相互を対接し、それらの直角部を交会部（直角交会部）に配する態様、
▲３▼８つの３角形基板の底角部を交会部（トラス交会部）に配する態様、
を採る。該単位組合せ版体においては、単位くさび棒が使用される。
更に、上記単位組合せ版体の複合体として大型の版体を形成する。該大型の版体においては、単位くさび棒及び長くさび棒が使用される。
【０００７】
本発明の第２は組合せ版体に係り、一定厚の同形の直角２等辺３角形状をなすとともに、該各辺の側面には辺に沿って、所定の幅形状を有しかつ所定深さを保持する凹溝が縦設されてなる複数の３角形基板を、該３角形基板の対応する各辺の側面を相接して配し、相接する３角形基板の凹溝に密接状にくさび棒を嵌合して組み立ててなることを特徴とする。
上記において、対応する各辺とは、３角形基板の同一長さの辺、換言すれば短辺と短辺、斜辺と斜辺との対応をいう。
本第２発明において、くさび棒は、（ａ）  ３角形基板の各辺部に対応する長さのもの（単位くさび棒）、（ｂ）  ３角形基板の各辺部の長さを超えるもの（長くさび棒、通常は２辺部長を採る。）が用意される。また、該くさび棒の先端は直角２等辺状の角部のものと、平坦状のものとの２態様をもつ。
上記構成において、
▲１▼３角形基板の幅形状は等幅もしくは開口に向けて拡幅される形状を採ること、
▲２▼３角形基板は中実、及び辺部を残して中空とされること、
▲３▼３角形基板とくさび棒とは接着剤により固着されること、
は適宜に選択実施される態様である。
（作用）
対接する辺部の凹溝内にはくさび棒が密接状に長手方向に嵌入されているので、３角形基板相互は一体的強度が得られ、版面に作用する曲げモーメントに対して大きな抵抗曲げモーメントを発揮する。
また、直角交会部、トラス交会部において中心点へ向けての作用力の集中を受け、締り力が生じ、ズレが生じない。
【０００８】
本発明の第３は更に特定された組合せ版体に係り、一定厚にして直角部と底角部とを有する直角２等辺３角形状をなすとともに、該各辺の側面には辺に沿って、所定の幅形状を有しかつ所定深さを保持する凹溝が縦設されてなる複数の３角形基板と、前記相対接する基板相互の凹溝に密接状に嵌合されるくさび棒と、の２種の構成素材の組合せよりなる版体であって、
ａ．前記同形の３角形基板の対応する各辺の側面が位相を揃えて相接して配され、
ｂ．前記相対接する３角形基板相互の凹溝にはくさび棒が密接状に嵌合され、
ｃ．該３角形基板の底角部の集まる交会部には全ての底角部を集め、
ｄ．該３角形基板の直角部の集まる交会部には全ての直角部を集めてなる、
ことを特徴とする。
上記において、３角形基板の底角部の集まる交会部をトラス交会部といい、３角形基板の直角部の集まる交会部を直角交会部という。
上記構成に加え、３角形基板の斜辺相互間には１つの交会部間のくさび棒が配され、該３角形基板の短辺相互間には１つの交会部間のくさび棒及び２つの交会部間にわたるくさび棒が配されてなることは他の発明を構成する。
（作用）
トラス交会部では水平・垂直方向及び斜め方向の８方向からの力の集中を受け、当該交会部の中心点に向け自動求心がなされ、かつ、くさび効果により締り作用を発揮する。また、直角交会部においてもくさび棒の角部によるくさび効果による締り作用が発揮される。
当該組合せ版体ではトラス交会部並びに直角交会部が均等に分布し、更に大きな締り力が確保され、ズレが生ぜず、版体全体として大きな強度を得る。
【０００９】
また、本発明の第４は組合せ版体の施工方法に係り、一定厚にして直角部と底角部とを有する直角２等辺３角形状をなすとともに、該各辺の側面には辺に沿って、所定の幅形状を有しかつ所定深さを保持する凹溝が縦設されてなる複数の３角形基板と、前記相対接する基板相互の凹溝に密接状に嵌合されるくさび棒と、の２種の構成素材の組合せよりなる版体の施工方法であって、
ａ．前記同形の３角形基板の対応する各辺の側面を位相を揃えて相接して配し、
ｂ．該３角形基板の底角部の集まる交会部には全ての底角部を集め、
ｃ．該３角形基板の直角部の集まる交会部には全ての直角部を集め、
ｄ．前記相対接する３角形基板相互の凹溝にはくさび棒を密接状に嵌合する、
ことを特徴とする。
上記構成に加え、３角形基板の斜辺相互間には１つの交会部間のくさび棒を配し、該３角形基板の短辺相互間には１つの交会部間のくさび棒及び２つの交会部間にわたるくさび棒を配する、ことは他の発明を構成する。
（作用）
３角形状をなす基板及びくさび棒は交互に落とし込み操作をもって組立て作業がなされ、操作が容易である。特に基板の操作は主として３角形空間への落とし込みによるので、空間的余裕をもって作業が行え、従来の矩形板での平行を保持しつつ組み立てる煩雑さ（熟練度）はなく、かつ、基板の角部及びくさび棒の先端角部での当接斜面の自動求心作用により、精度の高い組立てがなされる。また、交会部ではくさび効果により締込みがなされ、この部分で版面方向及び該版面に直角方向に大きな強度が発揮される。
【００１０】
本発明は、特には構築用の壁体、床体、天井版への適用がなされ、その素材・用途に付き格別限定されるものではなく、構築用として適用されるものであればその採用を妨げない。
更に、本発明は限定された用途として、家具（屋台を含む）、建具に係り、一定厚の同形の直角２等辺３角形状をなすとともに、該各辺の側面には辺に沿って、所定の幅形状を有しかつ所定深さを保持する凹溝が縦設されてなる複数の３角形基板を該３角形基板の各辺の側面を相接して配し、相接する３角形基板の凹溝に密接状に嵌合されるくさび棒を嵌合して形成される組合せ版体をもって構築される構成を採る。
【００１１】
【発明の実施の形態】
本発明の板状構造材及びその組合せ版体並びにその組立て施工方法の実施の形態を図面に基づいて説明する。
図１〜図８はその一実施形態の板状構造材及びその組合せ版体を示す。すなわち、図１はその板状構造材Ｈの全体構成を示し、図２〜図８は各部分構成を示す。
詳しくは、図１は本板状構造材Ｈを分解して示したものであり、図２はその一構成素材の基板の一部断面平面構成、図３は基板の側面構成を示す。図４〜図６は単位組合せ要領の一態様を示し、図４はその分解図、図６は各素材の納まり状態を示す。図７・図８は他の単位組合せ要領を示し、図７はその分解図、図８の左部分は断面を、右部分は平面（表面）を示す。
【００１２】
図１〜図８に示すように、本実施形態の板状構造材Ｈは、一定厚をもって直角２等辺３角形状をなすとともに、該各辺の側面に辺に沿う凹溝が縦設されてなる３角形基板１と、前記相対接する基板相互の凹溝に密接状に嵌合される連結材としてのくさび棒２との２種の構成素材からなる。これらの構成素材はことの性質上、所定の剛性を有する。
【００１３】
以下、各部の構成に付き詳細に説明する。
３角形基板１（図１〜図３参照）
３角形基板１（以下単に「基板１」という）は、図１〜図３に示すように、一定厚をもって直角２等辺３角形状をなすとともに、該各辺の側面の中央部には辺に沿う凹溝４が縦設されてなる。本実施形態での凹溝４の形状は長方形の１／２、すなわち２つの凹溝４が合わさって所定の長方形を形成する。
図において、１ａは基板１の表面、１ｂは基板１の裏面、１ｃは短辺の側面、１ｄは斜辺（長辺、底辺ともいう）の側面を示す。Ａは基板１の直角部、Ｂは底角部を示す。Ｐは斜辺部の凹溝４の角部、Ｖは直角部の凹溝４の角部を示す。
更に図において、ａは本基板１の厚さ、ｂは凹溝４の幅、ｃは凹溝４の深さを示す。また、ｅは短辺１ｃの長さ、ｆは斜辺１ｄの長さを示す（ｆ＝√２・ｅ）。
ここに、直角２等辺３角形は直角を必須とするが、辺部において実質的に２等辺を確保すれば足り、要は使用される基板１がすべて同形をなすことが本質的事項である。
該基板１の素材は原則として、構造材として採用される全ての材料を含む。通常には、木材、金属、合成樹脂材、コンクリート材（ＲＣを含む）が採られるが、その他の素材を除外するものではない。
図例（図１〜図３）では、該基板１は中実をなすが、基板１の辺部に、凹溝４の形成及び所定強度の確保のため、所定厚を残して中空１ｅ（図１３参照）とする態様を採ることは自由である。この場合、中空態様での基板をそのまま使用することも、あるいは基板の表面及び又は裏面に化粧板等の薄板を貼る態様を採ることもできる。
【００１４】
くさび棒２（図１、図４〜図８参照）
くさび棒２は、所定の長さと断面形状（本実施形態では長方形）を有し、基板１の凹溝４にその半分が嵌り込む。
該くさび棒２の素材は、原則として基板１に対応した素材を採るが、異種を除外しない。
（単位くさび棒２Ａ，２Ｂ）
長さにおいて、単位長のくさび棒が用意される。基板１の短辺１ｃに対応するものを単位くさび棒２Ａとし、長辺１ｄに対応するものを単位くさび棒２Ｂとする。
該単位くさび棒２Ａ，２Ｂは断面形状において、長方形状を採る。その幅は凹溝４の幅ｂに合致し、その深さ（高さ）は凹溝４の深さｃの２倍（２ｃ）を採る（２ｃ＞ｂ）。図６に示すように、単位くさび棒２Ａの長さはｅを採り、また、単位くさび棒２Ｂの長さはｆ−２√２ｃを採る。
くさび棒２Ａ，２Ｂの端部Ｒ，Ｑは斜辺の角部に対応して直角（９０°）状に尖った形状とされる。くさび棒２Ａは後記する版体Ｕ２，Ｋに使用される。くさび棒２Ｂは後記する版体Ｕ１，Ｕ３，Ｊに使用される。
単位くさび棒２Ａの異種として単位くさび棒２Ａ’が用意される。該くさび棒２Ａ’は端部は平坦面とされ、その長さはｅ−２ｃを採る。該くさび棒２Ａ’は後記する版体Ｕ３，Ｊに使用される。
【００１５】
（長くさび棒２Ｃ，２Ｄ，２Ｅ）
くさび棒２は更に、単位くさび棒２Ａ，２Ｂより長い長くさび棒２Ｃ，２Ｄ，２Ｅが用意される。
２Ｃはいわゆる通し用くさび棒であって、短辺１ｃの２倍の長さを有し、端部は平坦面とされる。該長くさび棒２Ｃは後記する版体Ｕ３，Ｊに使用される。
２Ｄはいわゆる外枠用くさび棒であって、短辺１ｃの１．５倍の長さを有し、端部は平坦面とされる。この長くさび棒２Ｄは後記する組合せ平面版Ｊの組立てに使用される。２Ｅは補助用のくさび棒であり、その長さを自由とし、端部は平坦面とされる。なお、くさび棒２Ｄ，２Ｅの長さは厳密なものではなく、多少の伸縮は許容される。
【００１６】
単位組合せ版体Ｕ（図４〜図８参照）
上述の３角形基板１とくさび棒２、特に単位くさび棒２Ａ，２Ｂとの２つの構成素材をもって正方形又は長方形すなわち四角形状の最小単位の組合せ版すなわち単位組合せ版体が構成される。
（第１単位組合せ版体Ｕ１）
先ず、図４〜図６に示されるように、２つの基板１、図例の１（１），１（２）の斜辺１ｄ相互を接合してなる第１単位組合せ版体Ｕ１が構成される。このものは、基板１の斜辺１ｄ相互の凹溝４に単位くさび棒２Ｂが嵌合される。また、適宜に基板１の短辺１Ｃに単位くさび棒２Ａが嵌合され、枠部を形成する。
（第２単位組合せ版体Ｕ２）
また、同じく図４〜図６に示されるように、４つの基板１、図例の１（１），１（３），１（４），１（５）の短辺１ｃ相互を接合してなる第２単位組合せ版体Ｕ２が構成される。このものは、基板１の短辺１ｃ相互の凹溝４に単位くさび棒２Ａが嵌合される。また、適宜に基板１の斜辺１ｄに単位くさび棒２Ｂが嵌合され、枠部を形成する。
この第２単位組合せ版Ｕ２において、該第２組合せ版Ｕ２の中心Ｏは各基板１の直角部の角部Ａの交会部（直角交会部Ｓ）であるとともに、各くさび棒２Ａの端部Ｒの交会部でもある。くさび棒２Ａの交会部では端部斜面相互が当接し、Ｏ点に向け自動求心作用を受け、かつ、くさび効果により締付け作用を発揮する。
【００１７】
（第３単位組合せ版体Ｕ３）
更にまた、図７・図８に示されるように、８つの基板１、図例では１（６），１（７），１（８），１（９），１（１０），１（１１），１（１２），１（１３）をそれらの底辺部の角部Ｂ相互を集中して接合してなる第３単位組合せ版体Ｕ３が構成される。
この第３単位組合せ版体Ｕ３において、長くさび棒２Ｃを挟んでその両側に４つの単位組合せ版体Ｕ１が配されるものである。なお、長くさび棒２Ｃに直交して単位くさび棒２Ａ’が使用される。
この単位組合せ版体Ｕ３において、該第３組合せ版体Ｕ３の中心Ｏは各基板１の底辺１ｄの角部Ｂの交会部となる。また、各くさび棒２Ｂはその先端角部Ｑが長くさび棒２Ｃに当接するが、その力の作用線の延長は中心Ｏに集中する。しかして、当該交会部の中心Ｏでは水平及び垂直に加え斜めの８方向から力の集中を受け、いわゆるトラス交会部Ｔを形成する。この結果、該トラス交会部Ｔでは、中心Ｏ点に向け自動求心作用を受け、かつ、くさび効果により締付け作用を発揮する。
該トラス交会部Ｔのこの作用により、版体Ｕ３は大きな耐荷力とともに抵抗モーメントを持つ。
【００１８】
上記の態様では基板１の溝４は矩形状をなし、これに対応してくさび棒２の断面も矩形状をなすものであるが、これら溝４、くさび棒２の形状に付き、正方形は勿論として、他の形状を除外するものではない。
図９はその態様の一例を示す。
（ａ）  図は円形断面のくさび棒６を示す。これに対応して基板１は半円形断面の凹溝４Ａが形成される。
（ｂ）  図は菱形断面のくさび棒７を示す。これに対応して基板１は３角形断面の凹溝４Ｂが形成される。
（ｃ）  図は８角形断面のくさび棒８を示す。これに対応して基板１は半８角形断面の凹溝４Ｃが形成される。
【００１９】
組合せ版体Ｊ
叙上の板状構造材Ｈを組み合わせて更に大きな広がりを有する版状体、すなわち組合せ版体Ｊが構築される。
図１０〜図１２に該組合せ版体Ｊの一構成例を示す。
図において、２Ａ’は短辺用の単位くさび棒、２Ｂは斜辺用の単位くさび棒、２Ｃは長くさび棒である。また、Ｔはトラス交会部、Ｓは直角交会部を示す。
この組合せ版体Ｊにおいては、各基板１の同一長さどうしの各辺の側面が相接して配され、斜辺１ｄ相互の凹溝４間には単位くさび棒２Ｂが配され、短辺１ｅ相互の凹溝４間には単位くさび棒２Ａ’と長くさび棒２Ｃとが配されてなる。なお、外枠を構成するくさび棒２は長くさび棒２Ｄに限定されず、適宜の長さのもの（２Ｅ）が採用される。
この組合せ版体Ｊに特徴的なことは、３角形基板１の底辺部（斜辺部）が集まる交会部すなわちトラス交会部Ｔと、直角部が集まる交会部すなわち直角交会部Ｓとの２種の交会部が現れ、かつ、これらの交会部Ｔ，Ｓが均一に配される。なお、Ｔ１は８つの基板１が集まる８点トラス交会部、Ｔ２は４つの基板１が集まる４点トラス交会部、Ｔ３は２つの基板１が集まる２点トラス交会部であり、Ｓ１は４つの基板１が集まる４点直角交会部、Ｓ２は２つの基板１が集まる２点直角交会部である。
特に、８点トラス交会部Ｔ１はその強度において大きな耐荷力並びに抵抗モーメントを発現する。
【００２０】
組合せ版体Ｊの組立て施工方法
図１２を参照して、組合せ版体Ｊの組立て手順を説明する。丸付き番号▲１▼▲２▼▲３▼…は図１２の表示に対応する。
▲１▼底辺となる外枠の長くさび棒２Ｄ，２Ｅが用意される。長くさび棒２Ｄ，２Ｅを適宜長さにつなぐ。
▲２▼最初の基板１０１の短辺１ｃがこの長くさび棒２Ｄに嵌め込まれる。
▲３▼同じく基板１０１の短辺１ｃに対して長くさび棒２Ｃが立て込まれる。
▲４▼他の基板１０２がその短辺１ｃをもって前記長くさび棒２Ｃを介して嵌め込まれる。
▲５▼基板１０３が嵌め込まれる。
▲６▼次いで、既に設置した基板１０２の斜辺１ｄにくさび棒２Ｂを立て込む。
▲７▼該くさび棒２Ｂに他の基板１０４を嵌め込んで配する。
▲８▼基板１０４の短辺１ｃにくさび棒２Ａ’を立て込む。
▲９▼基板１０３の斜辺１ｄに単位くさび棒２Ｂを立て込む。
（１０）単位くさび棒２Ｂを介して基板１０５を嵌め込む。
（１１）基板１０１の斜辺１ｄに単位くさび棒２Ｂを立て込む。
（１２）単位くさび棒２Ｂに基板１０６を嵌め込む。
（１３）基板１０６の短辺１ｃに単位くさび棒２Ａ’を立て込む。
（１４）基板１０４，１０５の短辺１ｃに長くさび棒２Ｃを立て込む。
（１５）単位くさび棒２Ａ’に基板１０７を嵌め込む。
（１６）基板１０６，１０７に対し外枠用の長くさび棒２Ｄを立て込む。
（１７）基板１０３の短辺１ｃに長くさび棒２Ｃを立て込む。
（１８）基板１０８を既に設置した長くさび棒２Ｃに嵌め込む。
（１９）基板１０８の短辺１ｃに長くさび棒２Ｃを立て込む。
（２０）基板１０９の短辺１ｃを長くさび棒２Ｃに嵌め込む。
（２１）既に設置した基板１０７の斜辺１ｄに単位くさび棒２Ｂを立て込む。
（２２）基板１１０をくさび棒２Ｂ及び長くさび棒２Ｃに嵌め込む。
（２３）既に設置した基板１０８の斜辺１ｄに単位くさび棒２Ｂを立て込む。
（２４）基板１１１を長くさび棒２Ｃ及びくさび棒２Ｂに嵌め込む。
（２５）既に設置した基板１０９の斜辺１ｄに単位くさび棒２Ｂを立て込む。
（２６）基板１１２を単位くさび棒２Ｂ及び長くさび棒２Ｃに嵌め込む。
以下、同様の操作がなされる。
また、（１７）での長くさび棒２Ｃの立込みがなされた後は、図上での右側部分が独立して施工される。
なお、上記の手順は一例であって、不都合の生じない範囲で種々の手順が採られる。
【００２１】
この組立て施工方法によれば、３角形状をなす基板１及びくさび棒２は交互に落とし込み操作をもって組立て作業がなされ、操作が容易であり、特に基板１の操作は主として３角形空間への落とし込みによるので、空間的余裕をもって作業が行える。従って、従来の矩形板での平行を保持しつつ組み立てる煩雑さはなく、また熟練度を要せず、かつ、基板１の底角部Ｂ及びくさび棒２の先端角部Ｑでの当接斜面の自動求心作用により、精度の高い組立てがなされる。また、交会部Ｔ，Ｓではくさび効果により締込みがなされ、この部分で版面方向及び該版面に直角方向に大きな強度が発揮される。
また、解体も叙上の手順の逆になせばよく、操作は容易である。
【００２２】
（用途）
本実施形態の板状構造材Ｈによる組合せ版体Ｊ（Ｕ１，Ｕ２，Ｕ３も含む）は、壁体版、床体版、天井版、屋根版等多様な用途を採る。また、ブロック塀用のブロック体としても適用される。
本組合せ版体Ｊは恒久構造材としても仮設構造材としても用いられる。基板１とくさび棒２とを接着固定すれば版体Ｊはより一体化され、恒久構造材として使用される。また、接着しない場合には、分解も容易であり、仮設用としても使用される。
【００２３】
本組合せ版体Ｊは上記の一般的用途に限定されない。
図１３に示すものは比較的小さな版体Ｋであって、家具、建具のパネルへ適用されて好適である。当該版体Ｋは４つの基板１がトラス組として１組となり、２組が使用される。当該版体Ｋに使用されている基板１は中空部１ｅを有し、それ自体で模様化される。基板１の表面に化粧板を貼り付けることを妨げない。
因みに、当該版体Ｋの諸元は例えば、長さＬ＝９００ｍｍ、厚さａ＝４５ｍｍを採る。
当該版体Ｋは大きな強度を発揮することは上述のとおりであり、加えて、組立てが容易で、かつ迅速に組み立てられるものであるうえ、解体も容易かつ迅速になされ、その利便性が大きい。基板１とくさび棒２とを接着剤をもって固着する態様を採れば、解体はできないが、強度の大きな版体を得ることができる。
【００２４】
本組合せ版体Ｊは、その大きさに特に限定を受けない。要は、基材となる板状構造材Ｈ、特には３角形基板１の大きさ、及びその使用される数により決まるものである。
【００２５】
（実施形態の効果）
本実施形態の板状構造材Ｈ及びその組合せ版体は叙上の構成よりなり、叙上の組立て施工方法をもって構築されるものであるので、次の効果を有する。
３角形基板１のトラス交会部Ｔ、直角交会部Ｓにおいて、各基板１及びくさび棒２は角部が収斂し、互いに接し合う面がくさび効果を発揮し、この部分で大きな締付け作用を受ける。また、トラス交会部Ｔが組合せ版体Ｊに均一に配されることにより、全体的に大きな耐力を得るとともに、版面に直交する力に対しても大きな耐力（抵抗モーメント）を得る。
本板状構造材Ｈの基板１は同一の形状を採るので、大量生産が容易であるうえ、積重ねることができ、場所を取らず、運搬の利便性を得る。
【００２６】
図１４は本発明の別な態様で組み立てられる組立て版体Ｋを示す。図において、先の図例で示した部材と同一の部材に付いては同一の符号が付されている。２Ａ”は先の単位くさび棒２Ａに準じ、２Ｃ’は先の単位くさび棒２Ｃに準じる。本態様において、通しくさび棒２Ｃ’が斜めに配される。交会部Ｔ’は、主として直角部と底角部との組合せ（６点もの）の一種となる。
【００２７】
図１５は更に別な直角３角形基板の態様を示す。
この直角３角形基板１Ａは不等辺３角形状であり、短辺が３対２の割合のものを示す。該基板１Ａの底角部は２種のものとなり、これに対応して単位くさび棒２’は先端の斜面が不等辺となる。
しかして、この直角３角形基板１Ａによる版体Ｌは長方形状のものが得られる。
【００２８】
本発明は上記実施の形態に限定されるものではなく、本発明の基本的技術思想の範囲内で種々設計変更が可能である。
【００２９】
【発明の効果】
本発明によれば、板状構造材による組合せ版体は、３角形基板のトラス交会部、直角交会部において、各基板及びくさび棒は角部が収斂し、互いに接し合う面がくさび効果を発揮し、この部分で大きな締付け作用を受ける。また、トラス交会部が組合せ版体に均一に配されることにより、全体的に大きな耐力を得るとともに、版面に直交する力に対しても大きな耐力（抵抗モーメント）を得る。
【図面の簡単な説明】
【図１】本発明の一実施形態の板状構造材の全体構成を示す分解立体図。
【図２】板状構造材の一構成素材としての３角形基板の一部断面平面図（図３の２方向矢視図）。
【図３】３角形基板の側面図（図２の３方向矢視図）。
【図４】板状構造材の組合せ要領の一態様を示す分解図。
【図５】板状構造材相互の組合せ断面図（図４の５−５線断面図）。
【図６】（ａ）  図は板状構造材の斜辺角部の拡大詳細図。
（ｂ）  図は（ａ）  図のｂ方向矢視図。
【図７】板状構造材の別の組合せ（組合せ前）要領を示す分解図（トラス交会部）。
【図８】図７の組合せ後の要部拡大図。
【図９】他の凹溝及びくさび棒の態様を示す断面図。
【図１０】組合せ版体の全体平面図。
【図１１】図１０の部分拡大図。
【図１２】図１１の断面詳細図。
【図１３】（ａ）  図は建具のへの適用例を示す組合せ版体。
（ｂ）  図は（ａ）  図のｂ方向矢視図。
【図１４】他の組合せ態様を示す版体の断面図。
【図１５】他の直角３角形基板の態様を示す分解図。
【符号の説明】
Ｈ…板状構造材、Ｔ…トラス交会部、Ｓ…直角交会部、１…３角形基板、１ａ…上面、１ｂ…下面、１ｃ…短辺、１ｄ…斜辺、Ａ，Ｂ…角部、２…くさび棒、２Ａ，２Ｂ…単位くさび棒、２Ｃ，２Ｄ…長くさび棒、４…凹溝、Ｐ，Ｖ…角部
【図１】
2004256996.tif 000003
【図２】
2004256996.tif 000004
【図３】
2004256996.tif 000005
【図４】
2004256996.tif 000006
【図５】
2004256996.tif 000007
【図６】
2004256996.tif 000008
【図７】
2004256996.tif 000009
【図８】
2004256996.tif 000010
【図９】
2004256996.tif 000011
【図１０】
2004256996.tif 000012
【図１１】
2004256996.tif 000013
【図１２】
2004256996.tif 000014
【図１３】
2004256996.tif 000015
【図１４】
2004256996.tif 000016
【図１５】
2004256996.tif 000017